(57)【要約】【課題】  意匠デザインの自由度の向上およびユニット厚みの低減することのできる空気調和機を提供する。【解決手段】  空気調和機は前面に設けられた化粧パネル５，キャビネットの上面と背面に配設された空気吸込みグリル６，８、おのおのの空気吸込みグリルに対応して配設された熱交換器３を有する空気調和機であり、前記空気吸込みグリル８が斜めに設けられ、且つ着脱可能な構造となる。上部空気吸込みグリルには可動パネルを配設されたことを特徴とする。【選択図】図１
2009063214.tif 000002
【特許請求の範囲】
【請求項１】
前面に設けられた化粧パネル、この化粧パネル後方で且つ熱交換器の前方に配設されたフィルタと空気吸込み口に対応して配設された熱交換器を有する空気調和機において、前記空気吸込み口を上面および背面に設けられ、このおのおのの空気吸込み口に対応して前記熱交換器が配設された空気調和機。
【請求項２】
背面の空気吸込み口をキャビネットの後方下部に向って斜めに配設された空気調和器。
【請求項３】
背面に設けた空気吸込み口をキャビネットと分離し着脱可能な吸込みグリル構造とされた空気調和機。
【請求項４】
上面の空気吸込み口に空気調和機の運転時に開く可動パネルを有する吸込みグリルを設けられた空気調和機。
【請求項５】
空気吸込みグリルの可動パネルが開くと空気調和機背面側に開口が形成され、前面側から空気吸込みグリルの内部が見えないようにされた空気調和機。
【発明の詳細な説明】
【技術分野】
【０００１】
本発明は、高効率且つ意匠性に優れた空気調和機の構造に関する。
【背景技術】
【０００２】
図５は従来の床置き形空気調和機の側断面図であるが、化粧パネル１２前面より空気を取り入れ、熱交換器１３で熱交換された空気を貫流ファン１４ａ，１４ｂにより前方上面および下面に吹き出す通風形態であった。
【０００３】
更に、壁掛け形空気調和機では前面より空気を取り入れるほか、上面や背面より空気吸込み口を配設されているものも有る。ただし、上記従来技術は、部屋の天井付近の壁面に据え付けられるものである。
【０００４】
【特許文献１】特開２００５−１０６４１７号公報
【特許文献２】実開昭５５−１６２０２４号公報
【特許文献３】実開昭５８−９８５２１号公報
【特許文献４】公開技報８５−９２１７号公報
【発明の開示】
【発明が解決しようとする課題】
【０００５】
しかしながら、上記従来技術の特許文献１，２，３によれば空気を吸込むための開口部を前面化粧パネルに配設する必要、および内部フィルタが見えないように格子状にするなどの意匠デザインを行う上での制限があるため、インテリアにマッチする意匠性に優れた空気調和機を提供するには制限があった。更に上記特許文献２，３，４は天井付近に据え付けられるため、背面側の熱交換器の清掃もしくは洗浄がし難いものであった。本発明は、意匠デザインの自由度向上およびユニット厚みのすることにある。
【課題を解決するための手段】
【０００６】
本発明は空気吸込みグリルをキャビネットの上面と背面に配設し、このおのおのの空気吸込みグリルに対応して熱交換器が配設されることにより上記課題を達成できる。
【発明の効果】
【０００７】
製品背面上部に斜めの空気吸込みグリルを設けられたことにより吸込み量を確保しつつ製品の奥行きを薄く見せられ意匠性が向上する。また、空気吸込みグリルを前面化粧パネルに設ける必要が無いので従来のエアコンのイメージを一新した意匠性に優れたエアコンを提供できる。
【０００８】
さらにキャビネットの上面に設けた空気吸込みグリルの可動パネルが運転時のみ開くので意匠性が向上。かつ運転停止時にゴミ，埃が入りにくいという効果がある。また、上記背面上部の空気吸込みグリルをキャビネットと分離着脱構造にしたことにより掃除等のメンテナンスが向上する。
【０００９】
また、性能面においては、上記空気吸込みグリルの可動パネルは、背面側に開口部を形成するため暖房時のショートサーキット現象を防止できる効果がある。
【発明を実施するための最良の形態】
【００１０】
以下、本発明の一実施例を図１〜図４により説明する。
【００１１】
図１は一実施例の全体構造図である。
【００１２】
この実施の形態ではキャビネットの上面に配された空気吸込みグリル６、および背面上部に斜めに空気吸込みグリル８が配され、前面に設けられた取り外し可能な化粧パネル５、この化粧パネル後方で且つ熱交換器の前方に配設された前面側フィルタ９ａ、上面と背面の空気吸込みグリルに対応するように設けられており、且つ一体に成形された上面側フィルタ９ｂ，前記化粧パネルを取り付ける化粧枠４，送風用貫流ファン２、前記吸込みグリルを上面および背面に配設され、このおのおのの空気吸込みグリルに対応して配設された熱交換器３，熱交換器用受け皿１０と背面側の熱交換器用受け皿と一体成型されたキャビネット１により構成される。
【００１３】
背面の上部に空気吸込みグリル８が斜めに設けられることにより、背面側の熱交換器の高さ寸法を大きくしても空気吸込みグリルと熱交換器の下端部までの寸法ｈ１を小さくできるため、背面側の熱交換器の下端部まで空気が十分に流通できる。また、視線Ａより見ると上面の寸法が少なくなり視覚的に本空気調和機をうすく見せる効果がある。かつ、空気吸込みグリルは前記の様に上面および背面上部となるため、図３の様に化粧パネル５は意匠デザインの自由度が向上される。
【００１４】
また、空気吸込みグリル８は図４の様にキャビネットと分離着脱構造となっている。たばこのやにや焼肉などのテーブルを囲んで調理しながら食事をする家族が増えてきたことによる油煙が熱交換器に付着する場合がある。そこで定期的にエアコン洗浄剤などで熱交換器を洗浄することがある。この場合、本実施例のように背面の空気吸込みグリル８が簡単に取り外せるようにされたことで、従来は洗浄作業が困難であったものが容易にできる。
【００１５】
前記上面の空気吸込みグリル６には可動パネル６ａ，６ｂ、およびパネルを可動するモータ７が配され、冷暖房運転時において、可動パネル６ａ，６ｂが開き、運転停止時は図２のように閉まる。このため、運転停止時は内部へほこり，ごみなどの侵入を防ぐ効果がある。
【００１６】
また、視線Ａより見ると、可動パネルが閉じていることにより内部構造が見えないため、停止時の意匠性が向上する。
【００１７】
前記可動パネル６ａ，６ｂは可動時に背面側に開口部を形成される。
【００１８】
そのため、視線Ａより見ると、空気調和機内部のフィルタなどが見えずに意匠性に優れる。且つ、空気は、空気吸込みグリルより吸込まれ、熱交換器３で熱交換されたあと、貫流ファン２により横はね１１ａ，１１ｂは配された空気吐出口より前面へ押し出される。前記可動パネル６ａ，６ｂは可動時に背面側に開口部が形成されるため、この押し出された空気がショートサーキットすることを防止する効果がある。
【図面の簡単な説明】
【００１９】
【図１】全体構造図。
【図２】運転停止時おける可動パネルの状態の側断面図。
【図３】冷暖房運転時の正面斜視図。
【図４】背面吸込みグリルを取り外した状態の側断面図。
【図５】従来技術における空気調和機の構造図。
【符号の説明】
【００２０】
１  キャビネット
２，１４ａ，１４ｂ  貫流ファン
３，１３  熱交換器
４  化粧枠
５，１２  化粧パネル
６  上面空気吸込みグリル
６ａ，６ｂ  可動パネル
７  可動パネル用モータ
８  空気吸込みグリル
９ａ  前面側フィルタ
９ｂ  上面側フィルタ
１０  熱交換器用受け皿
１１ａ，１１ｂ  横はね
【図１】
2009063214.tif 000003
【図２】
2009063214.tif 000004
【図３】
2009063214.tif 000005
【図４】
2009063214.tif 000006
【図５】
2009063214.tif 000007